(57)【特許請求の範囲】
【請求項１】
通信線を通すための配管の外周を保持する環状の締付部と、
前記締付部に一端が結合された紐状の連結部と、
前記連結部の他端に結合され、所定位置に引っ掛けられて固定される引掛部とを備え、
前記締付部は、
複数のウォーム溝が等間隔に設けられた帯板と、
前記ウォーム溝に噛合された螺旋状のウォーム歯及び当該ウォーム歯の回動軸を有して前記帯板の一端に取り付けられた径調整部と、
前記ウォーム歯の回動軸に設けられた取っ手とを有し、
前記取っ手が回転されると、前記ウォーム歯が回転し、当該ウォーム歯に噛合された前記帯板の他端が前進又は後退することにより、前記径調整部によって前記帯板の径が縮小及び拡大されるようにした
ことを特徴とする通信用配管の脱落防止具。
【請求項２】
前記引掛部は、
開口部を有したフック本体と、
前記フック本体の開口部を開閉する開閉部材と、
前記開閉部材を付勢する付勢部材と
を備えることを特徴とする請求項１に記載の通信用配管の脱落防止具。
【請求項３】
前記連結部の一端と前記締付部とを回転自在に結合する第１の回転部材が設けられ、
前記第１の回転部材は、
前記連結部の一端に結合される上回転部と、
前記上回転部に回転自在に取り付けられ、前記締付部に結合される下回転部と
を備えることを特徴とする請求項１に記載の通信用配管の脱落防止具。
【請求項４】
前記連結部の他端と前記引掛部とを回転自在に結合する第２の回転部材が設けられ、
前記第２の回転部材は、
前記連結部の他端に結合される上回転部と、
前記上回転部に回転自在に取り付けられ、前記引掛部に結合される下回転部と
を備えることを特徴とする請求項１又は３に記載の通信用配管の脱落防止具。
【発明の詳細な説明】
【技術分野】
【０００１】
本発明は、通線作業時に通信線を通すための配管が脱落することを防止する通信用配管の脱落防止具に関するものである。詳しくは、通線作業時に通信線を通すための配管の外周を保持する環状の締付部と、この締付部に一端が結合された紐状の連結部と、この連結部の他端に結合された引掛部とを備えることで、締付部により保持した配管を吊るし上げることができるようにすると共に、通線作業時に配管が脱落した場合であっても当該配管を引き上げることができるようにしたものである。
【背景技術】
【０００２】
従来、通信ケーブルを集合住宅やオフィスビル等に敷設する場合、当該集合住宅等に設置された主配線盤（ＭＤＦ；Main Distributing Frame）を利用する。このＭＤＦには、通信線を通すためのＣＤ（Combined Duct）管が設けられている。このＣＤ管は、予め住宅内の所定の部屋に引き回されている。
【０００３】
仮に、このＣＤ管が設置されていない場合、一度通信ケーブルを配線すると当該通信ケーブルの配線を変更することが困難であったが、このＣＤ管を設置することによって、当該ＣＤ管の中の通信ケーブルを入れ替えたり、あるいは新しい通信ケーブルを加えることが簡単にできるようになる。また、ＣＤ管は、通信ケーブルを保護する役目もある。
【０００４】
作業者は、ＭＤＦのＣＤ管に通信ケーブルを通線する場合、先ず、通線器（通線ワイヤー）をＣＤ管に通線する。ここに通線器とは、電気設備工事において電線管内に電線やケーブルを通線するときに、当該ケーブルなどが通線可能か否かを判断するための工具のことをいう。例えば、光ファイバーケーブルは、所定の曲げ規格をクリアする必要がある。通線器がＣＤ管を通線した場合、光ファイバーケーブルの曲げ規格をクリアできたと判断する。通線器がＣＤ管を通線しなかった場合、光ファイバーケーブルの曲げ角度が鋭くて光ファイバーケーブルの通線ができないと判断する。通線器がＣＤ管を通線可能であることを確認してから、光ファイバーケーブルをＣＤ管に通線する。
【０００５】
このような従来例に関連して特許文献１には、光ファイバーケーブルの通線方法が開示されている。この特許文献１に係る通線方法によれば、ケーブルを通す通路と潤滑剤を貯蔵するタンクと金型とが備えられた塗布装置により、ケーブルの外周に潤滑剤を塗布する。これにより、潤滑剤による優れた滑り性を付与して、このケーブルをＣＤ管に通線することができる。従って、オフィスや家庭内などのような曲がり角の多い場所でも、容易に施工することができる。
【０００６】
【特許文献１】特開２００６−２５１３０３号公報（第４頁、第１図）
【発明の開示】
【発明が解決しようとする課題】
【０００７】
ところで、従来例に係る通線作業の工程によれば、作業者は、ＣＤ管の先端部を片手で保持しながらもう片方の手で通線器をＣＤ管に通線していく。このとき、通線器がＣＤ管に掛かった状態で当該ＣＤ管に通線器を押し込んでこのＣＤ管が後退した場合、このＣＤ管の先端がＭＤＦの開口部から例えば壁の内側に落ち込む問題がある。
【０００８】
このＭＤＦの開口部からＣＤ管が壁の内側に落ち込むと、この壁の内側に落ち込んだＣＤ管を外部に引き戻すことは容易ではない。ＭＤＦの開口部の大きさは、ＣＤ管が挿通可能な大きさ程度であり、作業者が手や腕などをＭＤＦの開口部に入れることは不可能である。従って、細長い針金などを用いて壁の内側に落ち込んだＣＤ管を吊り上げるなどの方法を採る必要があるので手間や時間がかかり、通線作業の効率を低下させる原因となっている。また、ＣＤ管が脱落しないように片手でＣＤ管を保持しながら、もう片方の手で通線器を通線しなければならないので、通線器を繰り出す操作性にも問題がある。
【０００９】
また、特許文献１に記載の通線方法によれば、ケーブルの外周に潤滑剤を塗布してＣＤ管にケーブルを通線している。しかしながら、当該ケーブルがＣＤ管に引っ掛かる可能性を払拭することはできず、その結果、ＣＤ管の先端がＭＤＦの開口部から壁の内側に落ち込むおそれがある。
【００１０】
そこで、本発明はこのような課題を解決したものであって、通線作業時に配管を保持して吊るし上げることができるようにすると共に、当該配管が脱落した場合であってもこの配管を引き上げることができるようにした通信用配管の脱落防止具を提供することを目的とする。
【課題を解決するための手段】
【００１１】
上述した課題を解決するために、本発明に係る通信用配管の脱落防止具は、通信線を通すための配管の外周を保持する環状の締付部と、前記締付部に一端が結合された紐状の連結部と、前記連結部の他端に結合され、所定位置に引っ掛けられて固定される引掛部とを備え、前記締付部は、複数のウォーム溝が等間隔に設けられた帯板と、前記ウォーム溝に噛合された螺旋状のウォーム歯及び当該ウォーム歯の回動軸を有して前記帯板の一端に取り付けられた径調整部と、前記ウォーム歯の回動軸に設けられた取っ手とを有し、前記取っ手が回転されると、前記ウォーム歯が回転し、当該ウォーム歯に噛合された前記帯板の他端が前進又は後退することにより、前記径調整部によって前記帯板の径が縮小及び拡大されるようにしたことを特徴とするものである。
【００１２】
本発明に係る通信用配管の脱落防止具によれば、環状の締付部は、通線作業時に通信線を通すための配管の外周を保持するために、帯板、径調整部及び取っ手を有しており、帯板には複数のウォーム溝が等間隔に設けられている。径調整部は、帯板の一端に取り付けられ、ウォーム溝に噛合された螺旋状のウォーム歯及び当該ウォーム歯の回動軸を有している。取っ手は、ウォーム歯の回動軸に設けられている。この取っ手が回転されると、ウォーム歯が回転し、当該ウォーム歯に噛合された帯板の他端が前進又は後退することにより、径調整部によって帯板の径が縮小及び拡大されるようになる。そして、引掛部は、所定位置に引っ掛けられて固定される。紐状の連結部は、この引掛部と締付部とを連結する。これにより、帯板の内径を配管の外径よりも大きくした状態で、当該帯板を配管の先端に通すことができる。しかも、締付部により保持した配管を引掛部により連結部を介して吊るし上げることができる。従って、通線作業時に配管が脱落した場合であっても、当該配管を引き上げることができる。
【発明の効果】
【００１３】
本発明に係る通信用配管の脱落防止具によれば、通線作業時に通信線を通すための配管の外周を保持する環状の締付部と、この締付部に一端が結合された紐状の連結部と、この連結部の他端に結合されて所定位置に引っ掛けられる引掛部とを備え、締付部は、帯板、径調整部及び取っ手を有し、当該取っ手が回転されると、ウォーム歯が回転し、当該ウォーム歯に噛合された帯板の他端が前進又は後退することにより、径調整部によって帯板の径が縮小及び拡大されるようになる。
【００１４】
この構成によって、帯板の内径を配管の外径よりも大きくした状態で、当該帯板を配管の先端に通すことができる。しかも、締付部により保持した配管を引掛部及び連結部により吊るし上げることができる。これにより、通線作業時に配管が脱落した場合であっても、当該配管を引き上げることができる。従って、配管が壁の内側に落ち込んで通線作業の妨げになることを防止できる。
【発明を実施するための最良の形態】
【００１５】
以下、図面を参照しながら、本発明に係る通信用配管の脱落防止具の実施形態の一例を説明する。
【００１６】
図１は、本発明に係る通信用配管の脱落防止具１００の構成例を示す斜視図である。図１に示す脱落防止具１００は、例えば、集合住宅やオフィスビル等に設置される主配線盤のＣＤ（Combined Duct）管に、通信ケーブルを挿通する場合に使用される。なお、この主配線盤は、通信線路の集線盤として機能し、ＭＤＦ(Main Distributing Frame)とも呼称される。
【００１７】
図１に示す脱落防止具１００は、強力バンド１、フック２、第１のサルカン３ａ、第２のサルカン３ｂ及び紐４を備えている。強力バンド１は締付部の一例を構成し、ＣＤ管の外周を保持するものであって、第１のサルカン３ａ（第１の回転部材）を介して紐４（連結部の一例）の一端に結合されている。また、フック２は引掛部の一例を構成し、所定位置に引っ掛けられて固定されものであって、第２のサルカン３ｂ（第２の回転部材）を介して紐４の他端に結合されている。なお、これらのサルカン３ａ及び３ｂは同じ構成である。
【００１８】
この例で、紐４の両先端には、結合部材４ａが取り付けられている。この結合部材４ａは金属素材などから形成され、その先端が「Ｃ」形状に形成されている。結合部材４ａは、サルカン３ａの上回転部３ｄにその間隙が挿通され、挿通後に当該間隙が閉じられて結合されている。サルカン３ａは、上回転部３ｄと下回転部３ｅとを備え、当該上回転部３ｄと下回転部３ｅとが回転自在に結合されている。
【００１９】
サルカン３ａの下回転部３ｅは、「Ｃ」形状のリング部材３ｃを介して強力バンド１に結合されている。この強力バンド１は、締付用の帯板１ａ、径調整部１ｂ及び取っ手１ｃを備えている。
【００２０】
締付用の帯板１ａには、複数のウォーム溝１ｅが等間隔に設けられている。また、径調整部１ｂは帯板１ａの径を縮小及び拡大するものであって、ウォーム１ｆを備えている。このウォーム１ｆには不図示のウォーム歯が螺旋状に設けられている。このウォーム１ｆのウォーム歯（不図示）にウォーム溝１ｅが噛合されている。このウォーム１ｆが回転されると、そのウォーム歯に噛合された帯板１ａの一端が前進又は後退する。これにより、環状の帯板１ａが拡径したり、縮径したりする。このウォーム１ｆには、取っ手１ｃが結合されている。作業者は、この取っ手１ｃを掴んで回転させて、帯板１ａの径のサイズを調整する。この取っ手１ｃには、連結用の孔部１ｄが設けられている。この孔部１ｄには、リング部材３ｃが結合されている。このリング部材３ｃには、サルカン３ａの下回転部３ｅが連結されている。このように、強力バンド１は構成されて紐４の一端に結合されている。
【００２１】
フック２は、第２のサルカン３ｂを介して紐４の結合部材４ａに結合されている。この結合部材４ａは、サルカン３ｂの上回転部３ｄにその間隙が挿通され、挿通後に当該間隙が閉じられて結合されている。サルカン３ｂは、上回転部３ｄと下回転部３ｅとを備え、当該上回転部３ｄと下回転部３ｅとが回転自在に結合されている。
【００２２】
サルカン３ｂの下回転部３ｅは、「Ｃ」形状のリング部材３ｃを介してフック２に結合されている。このフック２は、フック本体２ａ、開閉部材２ｂ及びバネ２ｆを備えている。フック本体２ａは、孔部２ｄ及び開口部２ｅを有している。フック本体２ａは、その孔部２ｄにリング部材３ｃが結合されている。開閉部材２ｂは長リング状に形成され、フック本体２ａの開口部２ｅを開閉するように、可動自在にフック本体２ａに取り付けられている。この例で、開閉部材２ｂの後端部は、回動自在にフック本体２ａに係合され、その先端部は、フック本体２ａの引掛部２ｃに係合されている。この状態で、開閉部材２ｂは後端部を回動軸にしてその先端部が、バネ２ｆによりフック本体２ａの引掛部２ｃに付勢されている。なお、フック２は、金属素材や樹脂素材などから形成されている。
【００２３】
続いて、強力バンド１の動作例を説明する。図２Ａ及びＢは、強力バンド１の動作例を示す斜視図である。図２Ａに示す強力バンド１は、その環状の帯板１ａが拡径されて最大径の状態である。この最大径の状態から、作業者によって、強力バンド１の取っ手１ｃが例えば右回転されると、取っ手１ｃに結合されたウォーム１ｆが右回転される。このウォーム１ｆのウォーム歯（不図示）には帯板１ａのウォーム溝１ｅが噛合されているので、このウォーム１ｆが右回転されると、図２Ｂに示すように当該帯板１ａの一端１ｇが前進して帯板１ａの径が縮径される。
【００２４】
このとき、取っ手１ｃにリング部材３ｃを介して結合されたサルカン３ａは、その上回転部３ｄの姿勢が維持された状態で、その下回転部３ｅが当該取っ手１ｃの回転と共に回転する。これにより、強力バンド１の取っ手１ｃが回転されても、サルカン３ａの上回転部３ｄに結合された紐４が回転されない。従って、取っ手１ｃの回転時に紐４が捻れることを防止できるので、作業性を向上できる。
【００２５】
また反対に強力バンド１の取っ手１ｃが左回転されると、取っ手１ｃに結合されたウォーム１ｆが左回転される。このウォーム１ｆが左回転されると、図２Ｂの縮径された帯板１ａの状態から、図２Ａに示すように当該帯板１ａの一端１ｇが後退して帯板１ａの径が拡径される。このように、強力バンド１は動作する。
【００２６】
続いて、フック２の動作例を説明する。図３Ａ及びＢは、フック２の動作例を示す斜視図である。図３Ａに示すフック２は、その開閉部材２ｂの先端部が、バネ２ｆにより、フック本体２ａの引掛部２ｃに付勢されて閉じている状態である。この閉じ状態から、作業者によって、フック２の開閉部材２ｂが、その引掛部２ｃから離反する方向に押し込まれると、図３Ｂに示すように、開閉部材２ｂは、その後端部を回動軸にして、紙面向かって反時計回りに回動する。これにより、図３Ｂに示すフック２の引掛部２ｃと開閉部材２ｂの先端部とが離反して、フック本体２ａの開口部２ｅに間隙ができる。
【００２７】
このとき、フック本体２ａにリング部材３ｃを介して結合されたサルカン３ｂは、その上回転部３ｄの姿勢が維持された状態で、その下回転部３ｅが当該フック本体２ａの回転と共に回転する。これにより、フック本体２ａが装着位置に応じて回動されても、サルカン３ｂの上回転部３ｄに結合された紐４が回転されない。従って、フック２の装着時に紐４が捻れることを防止できるので、作業性を向上できる。
【００２８】
また、作業者によって押し込まれた開閉部材２ｂを解放すると、図３Ｂに示す状態から、図３Ａに示すように、フック２の開閉部材２ｂはバネ２ｆの付勢力によって、その後端部を回動軸にして紙面向かって時計回りに回動する。これにより、図３Ｂに示すフック２の引掛部２ｃと開閉部材２ｂの先端部とが接近して、図３Ａに示すようにフック本体２ａの開口部２ｅの当該間隙が閉じられる。このように、フック２は動作する。
【００２９】
続いて、サルカン３ａ、３ｂの構成及び動作例を説明する。図４Ａ及びＢは、サルカン３ａ、３ｂの構成及び動作例を示す斜視図である。なお、サルカン３ａとサルカン３ｂとは同一の構成であるのでサルカン３ａのみ説明する。
【００３０】
図４Ａに示すサルカン３ａの上回転部３ｄは基台３ｆを有し、この基台３ｆに「Ｕ」字形状の結合部材３ｉが設けられている。また、下回転部３ｅは基台３ｇを有し、この基台３ｇに「Ｕ」字形状の結合部材３ｊが設けられている。基台３ｆ及び３ｇは不図示の孔部を有している。基台３ｆ及び３ｇは、この孔部にストッパー３ｈが挿入され、当該ストッパー３ｈにより回転自在に係合されている。
【００３１】
このストッパー３ｈを回転軸にして、図４Ａに示すサルカン３ａの下回転部３ｅを９０°回転させると、図４Ｂに示すサルカン３ａの状態となる。更に、このストッパー３ｈを回転軸にして、図４Ｂに示すサルカン３ａの下回転部３ｅを同じ方向に９０°回転させると、図４Ａに示すサルカン３ａの状態となる。このように、サルカン３ａは動作する。
【００３２】
続いて、ＭＤＦ１０のＣＤ管１１（図６Ａ参照）にケーブルを通線する場合に、本発明に係る通信用配管の脱落防止具１００を装着する例を説明する。図５は、この脱落防止具１００を装着するＭＤＦ１０の構成例を示す斜視図である。図５に示すＭＤＦ１０は、通信線路の集線盤として機能するものである。このＭＤＦ１０は、例えば電話会社側から引いてきた電話線の束をマンション内の各住戸に配線するための中継となる設備である。このＭＤＦ１０には、落雷・電力線との混触などの異常電圧から屋内機器を保護する保安器１０ｂなどが台１０ａに設置されている。
【００３３】
図６Ａ及びＢは、ＭＤＦ１０のＣＤ管１１に脱落防止具１００を装着する一例を示す要部拡大斜視図である。図６Ａに示すＭＤＦ１０は、図５に示したＭＤＦ１０の左上部を拡大した拡大斜視図である。なお、説明の理解を容易にするために、ＭＤＦ１０の筐体部分は、二点鎖線で示している。
【００３４】
図６Ａに示すＭＤＦ１０は開口部１２を備え、この開口部１２に挿通された３本のＣＤ管１１を備えている。これらのＣＤ管１１は高強度の蛇腹状の樹脂管であり、通信線を通すために予めビル・マンションなどに設置されている。このＣＤ管１１が設置されていない場合、一度ケーブルを配線すると当該ケーブルの配線を変更することが困難であったが、このＣＤ管１１を設置することによって、当該ＣＤ管１１の中のケーブルを入れ替えたり、あるいは新しいケーブルを加えることが簡単にできるようになる。また、ＣＤ管１１は、ケーブルを保護する役目もある。
【００３５】
例えば、このＣＤ管１１に光ファイバーケーブルを通線する場合、先ず、不図示の通線器（通線ワイヤー）をＣＤ管１１に通線する。ここに通線器とは、電気設備工事において電線管内に電線やケーブルを通線するときに、当該ケーブルなどが通線可能か否かを判断するための工具のことをいう。例えば、光ファイバーケーブルは、所定の曲げ規格をクリアする必要がある。通線器がＣＤ管１１を通線した場合、光ファイバーケーブルの曲げ規格をクリアできたと判断する。通線器がＣＤ管１１を通線しなかった場合、光ファイバーケーブルの曲げ角度が鋭くて光ファイバーケーブルの通線ができないと判断する。
【００３６】
この通線器をＣＤ管１１に通線する際に、先ず、作業者は図６Ｂに示すように、ＣＤ管１１の先端に、脱落防止具１００の強力バンド１を装着すると共に、フック２をＭＤＦ１０の筐体の蓋部１０ｃに引っ掛ける。この例で、作業者は、強力バンド１の帯板１ａの内径をＣＤ管１１の外径よりも大きくした状態で、当該帯板１ａをＣＤ管１１の先端に通す。その後、作業者は、強力バンド１の取っ手１ｃを右回転して帯板１ａを縮径させてＣＤ管１１に固定する。
【００３７】
このとき、取っ手１ｃに結合されたサルカン３ａは、その上回転部３ｄ（図２参照）の姿勢が維持された状態で、その下回転部３ｅが当該取っ手１ｃの回転と共に回転する。これにより、強力バンド１の取っ手１ｃが回転されても、サルカン３ａの上回転部３ｄに結合された紐４が回転されない。従って、取っ手１ｃの回転時に紐４が捻れることを防止できるので、作業性を向上できる。
【００３８】
なお、ＣＤ管１１は、高強度の樹脂により形成されているので、強力バンド１の帯板１ａをＣＤ管１１に強固に圧締めすることができる。また、ＣＤ管１１は、蛇腹状に形成されおり、当該蛇腹が強力バンド１の帯板１ａに引っ掛かるので、強力バンド１が外れ難い。
【００３９】
作業者は、フック２をＭＤＦ１０の筐体の蓋部１０ｃに引っ掛ける場合、フック２の開閉部材２ｂをその内側に押し込んで、フック２の引掛部２ｃ（図３Ｂ参照）と開閉部材２ｂの先端部とを離反させて、筐体の蓋部１０ｃに引っ掛ける。
【００４０】
このとき、フック２に結合されたサルカン３ｂは、その上回転部３ｄ（図３Ｂ参照）の姿勢が維持された状態で、その下回転部３ｅが当該フック本体２ａの回転と共に回転する。これにより、フック２が紐４に対して回動されても紐４が回動されない。従って、フック２の装着時に紐４が捻れることを防止できるので、作業性を向上できる。
【００４１】
次に、作業者は、脱落防止具１００が装着されたＣＤ管１１に不図示の通線器を通線する。このときに、当該通線器がＣＤ管１１に掛かった状態で当該ＣＤ管１１に通線器を押し込んでこのＣＤ管１１が後退した場合であっても、脱落防止具１００の強力バンド１が、ＭＤＦ１０の開口部１２に引っ掛かる。これにより、当該ＣＤ管１１の先端が開口部１２から例えば壁の内側に落ち込むことを防止できる。
【００４２】
仮に、強力バンド１が開口部１２を通過して、当該強力バンド１と共にＣＤ管１１の先端が開口部１２から壁の内側に落ち込んだ場合であっても、当該強力バンド１は、紐４及びフック２により蓋部１０ｃに吊るし上げられる。従って、当該紐４を引き上げることにより、開口部１２から壁の内側に落ち込んだＣＤ管１１を外部に引き戻すことができる。従って、ＣＤ管１１が開口部１２から壁の内側に落ち込んで通線作業の妨げになることを防止できる。また、基本的には、強力バンド１が開口部１２に引っ掛かるので、作業者は、ＣＤ管１１を片手で保持しながら通線作業を実施する必要がなくなる。これにより、効率的に通線作業を実施することができる。
【００４３】
このように、本発明に係る通信用配管の脱落防止具１００によれば、通線作業時に通信線を通すためのＣＤ管１１の外周を保持する環状の強力バンド１と、この強力バンド１に一端が結合された紐４と、この紐４の他端に結合されて所定位置に引っ掛けられるフック２とを備えるものである。
【００４４】
従って、強力バンド１により保持したＣＤ管１１をフック２及び紐４により吊るし上げることができる。これにより、通線作業時にＣＤ管１１が脱落した場合であっても、当該ＣＤ管１１を引き上げることができる。従って、ＣＤ管１１が壁の内側に落ち込んで通線作業の妨げになることを防止できる。
【００４５】
なお、図１に示した強力バンド１は、その帯板１ａの内周面にゴム板を張着すれば、より強固にＣＤ管１１を保持することができる。また、フック２側のサルカンｂを設けずに、強力バンド１側のサルカン３ａのみ設けてもよい。これは、フック２は、強力バンド１に比べて回転が生じ難いからである。
【００４６】
また、図１に示した強力バンド１は、ウォーム１ｆのウォーム歯（不図示）に帯板１ａのウォーム溝１ｅが噛合され、このウォーム１ｆが回転されると、そのウォーム歯に噛合された帯板１ａの一端が前進又は後退するような機構に限られない。例えば、環状部がネジにより拡大又は縮小する一般のホースバンドを用いても良い。
【産業上の利用可能性】
【００４７】
本発明は、ＭＤＦのＣＤ管に通信線を通す通線作業の際に、ＣＤ管が脱落することを防止する道具に適用して好適である。
【図面の簡単な説明】
【００４８】
【図１】本発明に係る通信用配管の脱落防止具１００の構成例を示す斜視図である。
【図２】Ａ及びＢは、強力バンド１の動作例を示す斜視図である。
【図３】Ａ及びＢは、フック２の動作例を示す斜視図である。
【図４】Ａ及びＢは、サルカン３ａ、３ｂの構成及び動作例を示す斜視図である。
【図５】通信用配管の脱落防止具１００を装着するＭＤＦ１０の構成例を示す斜視図である。
【図６】Ａ及びＢは、ＭＤＦ１０のＣＤ管１１に脱落防止具１００を装着する一例を示す要部拡大斜視図である。
【符号の説明】
【００４９】
１・・・強力バンド（締付部）、１ａ・・・帯板、１ｂ・・・径調整部、１ｃ・・・取っ手、２・・・フック（引掛部）、２ａ・・・フック本体、２ｂ・・・開閉部材、２ｆ・・・バネ（付勢部材）、３ａ・・・サルカン（第１の回転部材）、３ｂ・・・サルカン（第２の回転部材）、３ｄ・・・上回転部、３ｅ・・・下回転部、４・・・紐（連結部）、１１・・・ＣＤ管（配管）、１００・・・通信用配管の脱落防止具
【図１】
0005132346.tif 000002
【図２】
0005132346.tif 000003
【図３】
0005132346.tif 000004
【図４】
0005132346.tif 000005
【図５】
0005132346.tif 000006
【図６】
0005132346.tif 000007